(57)【要約】【課題】  マイボトル等をユーザ登録し、給茶場所周辺でマイボトル等を持っていたら、携帯電話にて給茶場所の位置および給茶場所の各種情報をユーザに知らせることにより、利便性の向上とステータスの付与を図る。【解決手段】  飲料容器等の個人用容器Ｍと、該個人用容器Ｍに付設されたＩＣタグ１と、該ＩＣタグ１からの受信により提携先の通信手段からの無線通信が可能とされた携帯電話Ｓとを備えた情報交換システムにおいて、前記ＩＣタグ１にデータ入力された情報をもとに、提携先の給茶場所の位置や購入品の有無あるいは店の混み具合等の各種情報を携帯電話Ｓに知らせるように構成して、提携先とユーザ登録をしたＩＣタグ１が付設された個人用容器Ｍを購入した人に対して、単なるエコだけを訴求するのではなく、個人用容器Ｍを購入したユーザだけに対しての利便性やステータスを持たせることができるようにしている。【選択図】        図３
2008293324.tif 000002
【特許請求の範囲】
【請求項１】
飲料容器等の個人用容器と、該個人用容器に付設されたＩＣタグと、該ＩＣタグからの受信により提携先の通信手段からの無線通信が可能とされた携帯電話とを備え、前記ＩＣタグにデータ入力された情報をもとに、提携先の給茶場所の位置や購入品の有無あるいは店の混み具合等の各種情報を携帯電話に知らせるように構成された情報交換システム。
【請求項２】
前記提携先の給茶場所における商品購入にかかわるポイントのカウントや商品購入等の更新履歴情報を、前記ＩＣタグ内部において保管することなく、前記提携先の店において情報の更新および情報管理を行うように構成したことを特徴とする請求項１記載の情報交換システム。
【請求項３】
前記ＩＣタグへ各種情報の入力を、前記提携先の店の端末を用いてユーザ自身が行い得るように構成したことを特徴とする請求項１および２のいずれか一項記載の情報交換システム。
【請求項４】
前記ＩＣタグに、複数の提携先の情報管理を行う情報管理手段を付設したことを特徴とする請求項１、２および３のいずれか一項記載の情報交換システム。
【発明の詳細な説明】
【技術分野】
【０００１】
本願発明は、情報交換システムに関するものであり、さらに詳しくはＩＣタグを付設した個人用容器を用いて各種の情報交換を行い得るようにした情報交換システムに関するものである。
【背景技術】
【０００２】
電気炊飯器や電気貯湯容器等の場合、製品を識別するための部品（例えば、ＪＡＮシール）が付設されている。製品識別部品としては、バーコードも多用されている。
【０００３】
例えば、電気炊飯器の場合、特許文献１にも開示されているように、製品を識別するための部品（例えば、製品識別用タグ）は、電気炊飯器を梱包する個装箱に付設されることとなっている。
【０００４】
【特許文献１】特開２００２−１１２８８８号公報。
【発明の開示】
【発明が解決しようとする課題】
【０００５】
ところが、従来の製品識別用タグは、単に製品を識別する機能のみしか有しておらず、各種の情報交換を行うためのものとしては利用されていない。
【０００６】
近年、情報蓄積量の大きなＩＣチップを利用したＩＣタグ（電子荷札）の開発が進み、実用化されてきている。
【０００７】
一方、ゴミの環境問題からマイボトル等での飲料販売を検討していく上で、マイボトル等に付設されるＩＣタグに各種の情報を記憶させることができれば、マイボトル等の使用促進に大いに寄与すると考えられる。
【０００８】
例えば、ＩＣタグを内蔵したマイボトル、携帯電話による情報の発信と受信、提携先の給茶部署等の情報の三つの機能とのかかわりの中で、マイボトル等をネットワーク利用した新しい商品開発およびユーザへの利便性を追求するシステムが構築できれば、マイボトル等の購入者に対して、単なるエコだけを訴求するのではなく、マイボトル等のユーザだけに対しての利便性やステータスを持たせることができる。
【０００９】
本願発明は、上記の点に鑑みてなされたもので、マイボトル等をユーザ登録し、給茶場所周辺でマイボトル等を持っていたら、携帯電話にて給茶場所の位置および給茶場所の各種情報をユーザに知らせることにより、利便性の向上とステータスの付与を図ることを目的としている。
【課題を解決するための手段】
【００１０】
本願発明では、上記課題を解決するための第１の手段として、飲料容器等の個人用容器と、該個人用容器に付設されたＩＣタグと、該ＩＣタグからの受信により提携先の通信手段からの無線通信が可能とされた携帯電話とを備えた情報交換システムにおいて、前記ＩＣタグにデータ入力された情報をもとに、提携先の給茶場所の位置や購入品の有無あるいは店の混み具合等の各種情報を携帯電話に知らせるように構成している。
【００１１】
上記のように構成したことにより、ＩＣタグが付設された個人用容器を持つユーザが提携先の給茶場所の近くに来たときには、携帯電話により提携先の給茶場所の位置や購入品の有無あるいは店の混み具合等の各種情報がユーザに知らされる。従って、提携先とユーザ登録をしたＩＣタグが付設された個人用容器を購入した人に対して、単なるエコだけを訴求するのではなく、個人用容器を購入したユーザだけに対しての利便性やステータスを持たせることができることとなり、新たな商品開発およびユーザへの利便性を追求することができる。
【００１２】
本願発明では、さらに、上記課題を解決するための第２の手段として、上記第１の手段を備えた情報交換システムにおいて、前記提携先の給茶場所における商品購入にかかわるポイントのカウントや商品購入等の更新履歴情報を、前記ＩＣタグ内部において保管することなく、前記提携先の店において情報の更新および情報管理を行うように構成することもでき、そのように構成した場合、提携先とのユーザ登録により、提携先の給茶場所における商品購入にかかわるポイントのカウントや商品購入等の更新履歴情報の更新および情報管理を行うことができることとなり、ユーザの負担を大幅に低減することができる。
【００１３】
本願発明では、さらに、上記課題を解決するための第３の手段として、上記第１又は第２の手段を備えた情報交換システムにおいて、前記ＩＣタグへ各種情報の入力を、前記提携先の店の端末を用いてユーザ自身が行い得るように構成することもでき、そのように構成した場合、ＩＣタグへの各種情報の入力が提携先の店の端末を用いて簡単に行えることとなり、ユーザの利便性がより一層向上する。
【００１４】
本願発明では、さらに、上記課題を解決するための第４の手段として、上記第１、第２又は第３の手段を備えた情報交換システムにおいて、前記ＩＣタグに、複数の提携先の情報管理を行う情報管理手段を付設することもでき、そのように構成した場合、複数の提携先の情報管理を行う一つのＩＣタグにより行うことができることとなり、ユーザの利便性がさらに向上する。
【発明の効果】
【００１５】
本願発明の第１の手段によれば、飲料容器等の個人用容器と、該個人用容器に付設されたＩＣタグと、該ＩＣタグからの受信により提携先の通信手段からの無線通信が可能とされた携帯電話とを備えた情報交換システムにおいて、前記ＩＣタグにデータ入力された情報をもとに、提携先の給茶場所の位置や購入品の有無あるいは店の混み具合等の各種情報を携帯電話に知らせるように構成して、提携先とユーザ登録をしたＩＣタグが付設された個人用容器を購入した人に対して、単なるエコだけを訴求するのではなく、個人用容器を購入したユーザだけに対しての利便性やステータスを持たせることができるようにしたので、新たな商品開発およびユーザへの利便性を追求することができるという効果がある。
【００１６】
本願発明の第２の手段におけるように、上記第１の手段を備えた情報交換システムにおいて、前記提携先の給茶場所における商品購入にかかわるポイントのカウントや商品購入等の更新履歴情報を、前記ＩＣタグ内部において保管することなく、前記提携先の店において情報の更新および情報管理を行うように構成することもでき、そのように構成した場合、提携先とのユーザ登録により、提携先の給茶場所における商品購入にかかわるポイントのカウントや商品購入等の更新履歴情報の更新および情報管理を行うことができることとなり、ユーザの負担を大幅に低減することができる。
【００１７】
本願発明の第３の手段におけるように、上記第１又は第２の手段を備えた情報交換システムにおいて、前記ＩＣタグへ各種情報の入力を、前記提携先の店の端末を用いてユーザ自身が行い得るように構成することもでき、そのように構成した場合、ＩＣタグへの各種情報の入力が提携先の店の端末を用いて簡単に行えることとなり、ユーザの利便性がより一層向上する。
【００１８】
本願発明の第４の手段におけるように、上記第１、第２又は第３の手段を備えた情報交換システムにおいて、前記ＩＣタグに、複数の提携先の情報管理を行う情報管理手段を付設することもでき、そのように構成した場合、複数の提携先の情報管理を行う一つのＩＣタグにより行うことができることとなり、ユーザの利便性がさらに向上する。
【発明を実施するための最良の形態】
【００１９】
以下、添付の図面を参照して、本願発明の好適な実施の形態について説明する。
【００２０】
まず、本実施の形態において使用されるＩＣタグおよび送受信ユニットの構成について、図１を参照して説明する。
【００２１】
個人用容器Ｍ側にセットされるＩＣタグ１は、電源回路１ｂと、無線周波数（ＲＦ）回路（ワイヤレス送受信回路）１ｃと、変調回路１ｄと、復調回路１ｅと、ＣＰＵ１ｆと、該ＣＰＵ１ｆに対して入出力可能に接続され、各種情報が記憶されるメモリ１ａとを有して構成されている。
【００２２】
前記電源回路１ｂは、蓄電池として作用するコンデンサ（図示省略）を内蔵しており、このコンデンサは、コイル型の第１の送受信アンテナ３とともに共振回路を形成している。また、このコンデンサには、第１の送受信アンテナ３が特定の周波数の電波（前述の共振回路を共振する周波数の電波）を受信したときに、その相互誘導作用により生じる電力を整流し安定化してＣＰＵ１ｆに供給し、ＩＣタグ１を活性化することとなっている。また、前記第１の送受信アンテナ３は、例えば複数枚の軟磁性アモルファス箔又は複数枚の金属箔を耐熱性樹脂又は耐熱性無機材料からなる絶縁層を介して積層してなる磁芯部材３ａと、該磁芯部材３ａの外周に巻成された耐熱性被覆導線３ｂとからなっており、耐熱性の高いものとされている。
【００２３】
また、前記メモリ１ａは、例えばＲＯＭ、ＲＡＭおよびＥＥＲＯＭを含み、ＣＰＵ１ｆの制御の下で、後述する送受信ユニット２からの送信電波のデジタル・データ通信による読み出しコマンドに応じて、前記メモリ１ａに記憶されている各種情報の読み出しを行うとともに、必要に応じて、前記送受信ユニット２からの書き込みコマンドに応じて必要なデータの書き込みを行うことができるようになっている。
【００２４】
なお、前記ＩＣタグ１および第１の送受信アンテナ３は、所定の耐熱プラスチックケース内にパッケージングされて、製品（例えば、マイボトル）の適所にセットされているが、同プラスチックケースは、例えばポリイミド、エポキシ、ポリフェニールスルフォイド又はフェノールのような耐熱性の高い合成樹脂により形成され、例えば１５０℃〜２５０℃の高温下でも使用可能となっている。
【００２５】
上記したように、各種情報のメモリ、ワイヤレス送信機能等を有して構成されたＩＣタグ１は、それに対応して読み取り器Ｙ側（あるいは／および製品の適所）に配設された送受信ユニット２とワイヤレスに送受信可能に構成されている。
【００２６】
前記送受信ユニット２は、前記ＩＣタグ１側に記憶された各種情報を読み出して、読み取り器Ｙ側（あるいは／および製品側）のマイコンに転送して入力するとともに、ＩＣタグ１側のメモリ１ａ内に必要な情報を書き込むように構成されており、前記第１の送受信アンテナ３と相互誘導作用する同じくコイル型の第２の送受信アンテナ４が受信した電波データを処理するデータ処理回路部を有する。この第２の送受信アンテナ４は、前記ＩＣタグ１側の第１の送受信アンテナ３に対して所定の電波を送信し、且つＩＣタグ１側の第１の送受信アンテナ３からの所定の電波を受信するように構成されている。また、データ処理回路部は、前記第２の送受信アンテナ４に接続されており、バッテリを内蔵する電源回路２ａと、無線周波数（ＲＦ）回路（ワイヤレス送受信回路）２ｂと、変調回路２ｃと、復調回路２ｄと、ＣＰＵ２ｅと、該ＣＰＵ２ｅに対して入出力可能に接続され、前記ＩＣタグ１のメモリ１ａから読み取った情報を記憶するメモリ２ｆとを有して構成されている。
【００２７】
前記ＩＣタグ１中のメモリ１ａに記憶された各種情報の読み出しは、前記送受信ユニット２側の第２の送受信アンテナ４から前記ＩＣタグ１側の第１の送受信アンテナ３に向けて２値化されたデジタル・データ信号を特定周波数の電波により送信することにより行われる。このデジタル・データ信号は、変調回路２ｃで変調を受け、ＲＦ回路２ｂで増幅されて第２の送受信アンテナ４から送信される。該送信された電波は、ＩＣタグ１側の第１の送受信アンテナ３により受信され、この受信時のアンテナコイル間の相互誘導作用により電源回路１ｂの蓄電用コンデンサに電力が充電される。そして、この充電電力は、電源回路１ｂからＣＰＵ１ｆに動作電力として供給され、ＩＣタグ１を活性化して、ＲＦ回路１ｃを作動させる。
【００２８】
そして、ＩＣタグ１側のＣＰＵ１ｆは、この受信信号（読み出しコマンド信号）に基づいて、前記メモリ１ａに記憶されている各種情報をデータとして送信する。この各種情報÷データの送信は、上記同様に２値化されたデジタル・データ信号を変調回路１ｄで変調した後、ＲＦ回路１ｃで増幅することによって第１の送受信アンテナ３から送信することにより行われる。この送信されたデジタル・データは、送受信ユニット２側の第２の送受信アンテナ４で受信され、前記データ処理回路部でデータ処理されて、読み取り器Ｙ側のマイコンに転送される。これにより、適切な固体識別が実現される。
【００２９】
また、前記送受信ユニット２側のＣＰＵ２ｅの入力ゲートには、入力装置（入力回路）２ｇが接続されており、所定の外部入力手段（例えば、読み取り器Ｙ）からの必要な追加情報が入力装置２ｇを介して入力され、ＣＰＵ２ｅ、ＲＦ回路２ｂを通してＩＣタグ１外部のメモリ１ａに書き込まれるようになっている。
【００３０】
図２には、本願発明の実施の形態にかかる情報交換システムにおいて用いられる個人用容器の一例である液体保温容器（以下、マイボトルという）が示されている。
【００３１】
該マイボトルＭは、例えばステンレス製の真空二重容器とされ、容器本体５と該容器本体５に対して開閉自在とされた蓋体６とからなっている。そして、前記容器本体５の背面上部には、前記ＩＣタグ１が付設されている。
【００３２】
次に、上記したマイボトルＭを用いた情報交換システムについて図３を参照して説明する。
【００３３】
図３において、符号ＨＣは提携先チェーン店（例えば、スターバックコーヒーの本店）のホストコンピュータであり、該ホストコンピュータＨＣは、スターバックコーヒーの支店のコンピュータＣ1〜Ｃ3と相互に情報交換ができるようになっている。符号ＤＢはホストコンピュータＨＣのデータベース、Ｄ1〜Ｄ3は、各支店のコンピュータＣ1〜Ｃ3のデータベース、Ｓ1〜Ｓ3はＧＰＳナビ機能を備えた携帯電話を示す。
【００３４】
上記構成の情報交換システムにおいては、例えばスターバックコーヒーとタイガー魔法瓶株式会社とが提携し、タイガー製品であるマイボトルＭ1〜Ｍ3のＩＣタグ１に現金、好み等を入力し、さらにユーザ登録する。そして、ＩＣタグ１の入力情報（コーヒーの種類等）をもとに、給茶場所の検索がかかり、マイボトルＭを持って、例えば給茶場所であるスターバックコーヒーの支店の近く（例えば、約５００ｍの範囲）にきたら、携帯電話が鳴り、購入したいコーヒーの有無やお店の混み具合等が、ホストコンピュータＨＣからメールで送信される。そして、コーヒーを購入すれば、ポイントが加算されるという特典が得られるようになっている。
【００３５】
上記したように、ＩＣタグ１にデータ入力された情報をもとに、提携先の給茶場所の位置や購入品の有無あるいは店の混み具合等の各種情報を携帯電話Ｓに知らせるように構成したことにより、提携先とユーザ登録をしたＩＣタグ１が付設された個人用容器（即ち、マイボトルＭ）を購入した人に対して、単なるエコだけを訴求するのではなく、マイボトルＭを購入したユーザだけに対しての利便性やステータスを持たせることができるようにしたので、新たな商品開発およびユーザへの利便性を追求することができる。しかも、ＧＰＳナビ機能付きの携帯電話Ｓを用いた場合、給茶場所までのルート検索も可能となるし、給茶場所で購入の意思がある場合、メールで購入予約して店に行ったら、待ち時間なしで購入できるし、店の座席予約もできるようになる。
【００３６】
ところで、提携先の給茶場所における商品購入にかかわるポイントのカウントや商品購入等の更新履歴情報を、ＩＣタグ１内部において保管することなく、提携先の店において情報の更新および情報管理を行うように構成する場合もある。このようにすると、提携先とのユーザ登録により、提携先の給茶場所における商品購入にかかわるポイントのカウントや商品購入等の更新履歴情報の更新および情報管理を行うことができることとなり、ユーザの負担を大幅に低減することができる。
【００３７】
また、ＩＣタグ１へ各種情報の入力を、提携先の店の端末を用いてユーザ自身が行い得るように構成する場合もある。このようにすると、ＩＣタグへの各種情報の入力が提携先の店の端末を用いて簡単に行えることとなり、ユーザの利便性がより一層向上する。
【００３８】
また、ＩＣタグ１に、複数の提携先の情報管理を行う情報管理手段を付設する場合もある。このようにすると、複数の提携先の情報管理を行う一つのＩＣタグ１により行うことができることとなり、ユーザの利便性がさらに向上する。
【００３９】
また、提携先のコーヒーショップでのポイント制とともに、タイガー魔法瓶株式会社もエコ推進のため利用回数等でポイント制を引き、次回の購入時の割引特典を付けたり、消耗部品交換のお知らせメールを送ることができるようにしてもよい。
【００４０】
また、タイガー魔法瓶株式会社にもユーザ登録してもらえば、アンケート調査等も携帯メールを使って行うことができる。
【００４１】
また、提携先のホームページやタイガーホームページで、マイボトルのポイント情報や個人の利用状況を知らせることもできる。
【００４２】
また、ＩＣタグ情報以外でも、提携先からの新商品情報等は携帯電話へ知らせることもできる。
【００４３】
なお、上記実施の形態においては、マイボトルＭとして液体保温容器を採用したについて説明したが、マイボトルＭとしてマグボトルを採用し、該マグボトルの底に貼り付けることができるＩＣタグ内蔵のシールをコーヒーショップで販売し、このシールをつけたマグボトルをコーヒーショップに持参してコーヒーを注文すると、ＩＣタグにポイントが加算されていき、ポイントが一定量貯まると、コーヒーやお菓子が一つ無料となるサービスが受けられるようにしてもよい。このようにすると、マグボトルの利用促進が図られることとなり、環境面への高影響が期待できる。
【００４４】
また、ＩＣタグをつけた携帯マグボトルを、コンビニ等に持って行くと、格安でお茶やコーヒー等の飲料が購入でき、さらに利用に応じてポイントがつくようにすることもできる。このようにすると、マグボトルの利用者が増え、携帯マグボトルの使用率が上がる。この場合、女性は特に特典に興味があるところから、時間帯によってポイント２倍！等のイベントを開催するようにしてもよい。ポイントが貯まったら、新しいマグボトルを格安で買えたり、他のものをもらえたりしてもよい。
【００４５】
最近、特に都市部において、持ち帰りのできるスープや惣菜専門店が増えており、この流れはコンビニにも及んでいる。ＩＣタグによる個人情報を伴った「マイディッシュ」は、「マイボトル」に続くエコロジーアイテムとして、ニーズが開拓できる。例えば、コンビニや専門店とのタイアップにより、ポイント制度を導入したり、栄養情報による健康管理に役立てたり、マイボトルとの連動により、「エコポイント」としての価値を持たせたりする等のことが考えられる。このようにすると、ボトルも含めた使用により、携帯容器全般の付加価値アップにつながる。
【００４６】
また、飲料メーカーとタイアップして特定のメーカーの飲料をタイガー魔法瓶株式会社製のマイボトルを使って買うほどポイントが貯まり、電器店（電器店には、集客になるなどとアピールしてポイント交換機をおいてもらう）においてあるポイント交換機でポイントが確認でき、ポイントに応じて、飲料メーカー、電器店と共同で、景品（特定の電器店で使えるタイガー製品割引券など）を出すようにしてもよい。また、ポイントは家族共同で貯めることができるようにする（最初にボトルを購入したときにエコポイントシステムに登録する）。また、新しいボトルを購入したときも引き継がれるようにする（引き続きタイガー製品を愛用してもらうため）。このようにすると、ポイントはタイガーエコポイントとして、ポイントを貯めているほどエコ上手をアピールし、企業としてのイメージアップも同時に図ることができる。即ち、タイガー製ボトルの売上と環境保護に貢献して、企業としての利益とイメージアップとに貢献する。
【００４７】
本願発明は、上記実施の形態に限定されるものではなく、発明の要旨を逸脱しない範囲において適宜設計変更可能なことは勿論である。
【図面の簡単な説明】
【００４８】
【図１】本願発明の実施の形態にかかる情報交換システムに用いられるＩＣタグおよび送受信ユニットの回路構成図である。
【図２】本願発明の実施の形態にかかる情報交換システムに用いられる個人用容器の一例である液体保温容器の背面図である。
【図３】本願発明の実施の形態にかかる情報交換システムの構成を示す図である。
【符号の説明】
【００４９】
１はＩＣタグ
２は送受信ユニット
３は第１の送受信アンテナ
４は第２の送受信アンテナ
ＨＣはホストコンピュータ
Ｃ1〜Ｃ3は支店のコンピュータ
Ｍ，Ｍ1〜Ｍ3は個人用容器（マイボトル）
Ｓ，Ｓ1〜Ｓ3は携帯電話
【図１】
2008293324.tif 000003
【図２】
2008293324.tif 000004
【図３】
2008293324.tif 000005